(57)【要約】      （修正有）【課題】固定部材をスピーディーに定位し、後続の固定作業のスピーディーな進行をサポートし、安定したロック効果を達成するロックサポートのロッキングスリーブを提供する。【解決手段】ロッキングスリーブ３は内筒３１および内筒３１に被覆する外筒３２を含み、内筒３１は、内筒体３１１および内筒体３１１の一端から延びるロッキング杆３１２を有し、外筒３２は、外筒体３２１、外筒体３２１の一端に設置して内筒体３１１と係止する係止端３２２、外筒体３２１の他端に設置するロック端３２３、外筒体３２１によって囲まれたロック空間３２４、および外筒体３２１にロック端３２３から延びて形成した複数の開溝３２５を有し、外筒体３２１に弾性変形する複数の挟持爪３２６を形成し、挟持爪３２６の先端に固定部材を挟持可能な係止凸部３２７を形成する。【選択図】図３
0003230185.tif 000002
【実用新案登録請求の範囲】
【請求項１】
内筒および前記内筒に被覆する外筒を含み、固定部材による固定をサポートするロックサポートのロッキングスリーブにおいて、
前記内筒は、内筒体および前記内筒体の一端から外向きに延びるロッキング杆を有し、
前記外筒は、外筒体、前記外筒体の一端に設置して前記内筒体と相互に係止させる係止端、前記外筒体の前記係止端と反対の他端に設置するロック端、前記外筒体によって囲まれ、前記固定部材を挿入可能なロック空間、前記ロック端から延びた複数の開溝、及び、弾性変形する複数の挟持爪を有し、且つ各挟持爪の先端に前記固定部材を挟持可能な係止凸部を形成したことを特徴とするロックサポートのロッキングスリーブ。
【請求項２】
前記ロッキング杆の端部の外周面に第一ネジ紋段を形成し、前記内筒体の内周面に第二ネジ紋段を形成し、前記ロッキング杆の端部を前記内筒体に挿入して、前記第一ネジ紋段と前記第二ネジ紋段とを螺合することで、前記ロッキング杆と前記内筒体を固定することを特徴とする請求項１記載のロックサポートのロッキングスリーブ。
【請求項３】
前記内筒体の他端から外向きに突出して、前記固定部材に係合可能な係合部を設けることを特徴とする請求項１記載のロックサポートのロッキングスリーブ。
【請求項４】
前記内筒体には、前記ロッキング杆を納置するための収蔵室および前記固定部材の頭部を納置するための納置空間を形成することを特徴とする請求項１記載のロックサポートのロッキングスリーブ。
【請求項５】
前記内筒体の他端から外向きに突出して、前記固定部材に係合可能な係合部を設け、前記係合部は前記納置空間内に納置されることを特徴とする請求項４記載のロックサポートのロッキングスリーブ。
【請求項６】
前記納置空間は、複数の周囲壁に囲まれて形成されることを特徴とする請求項４記載のロックサポートのロッキングスリーブ。
【請求項７】
前記各係止凸部は、前記ロック端から前記ロック空間に向けて、先端側が次第に前記係止端へ近づくよう傾斜して突出する傾斜面を有することを特徴とする請求項１記載のロックサポートのロッキングスリーブ。
【請求項８】
前記各係止凸部は、前記傾斜面に連接する定位面を有し、前記傾斜面と前記定位面の接合箇所から径方向に延びる基準線に対して、前記定位面は第一角度をもって配置され、前記傾斜面は第二角度をもって配置され、前記第一角度と前記第二角度は異なる傾斜角度であることを特徴とする請求項７記載のロックサポートのロッキングスリーブ。
【請求項９】
前記内筒と前記外筒の間にベアリングを設けることにより、前記内筒体が前記ロッキング杆に連動して回転した時、前記外筒の回転を抑えることを特徴とする請求項１記載のロックサポートのロッキングスリーブ。
【請求項１０】
前記外筒の係止端にストッパーを設けて、前記ベアリングを固定することを特徴とする請求項９記載のロックサポートのロッキングスリーブ。
【考案の詳細な説明】
【技術分野】
【０００１】
本考案は、ボルト、ネジ等の固定部材による固定をサポートするロックサポートのロッキングスリーブに関する。
【背景技術】
【０００２】
工業技術の発展により、ボルト、ナットそしてネジ等の固定部材は各種製品の組立構造で使用されている。また、ロッキングスリーブは六角型頭部を有する固定部材の組立と取外し作業において広く使用されている。
これら固定部材の六角型頭部は異なるサイズに公差を形成し、異なるサイズ公差の頭部に合わせたロッキングスリーブを用いて固定部材をロックする。しかしながら、ロッキングスリーブ内の頭部を納めてロックする空間は比較的大きい公差を有するため、ロック空間で頭部がしっかりと位置決めできないことがあり、滑ってロックできなくなるのを防止するため、ロック過程で固定部材に強い力をかけなければならない。
さらに、ロッキングスリーブは六角型頭部の固定部材だけに使用でき、ロッキングスリーブの使用範囲が制限されている。
【０００３】
このような不具合を解消するために、従来、磁性を有するロッキングスリーブが知られている。
図１および図２に示すとおり、従来のロッキングスリーブ１は、ロッキング杆１１、ロッキング杆１１の一端に設けたスリーブ本体１２、スリーブ本体１２内の磁性吸着部材１３および軟質材で作られ且つ磁性吸着部材１３を被覆する保護部材１４を含む。
スリーブ本体１２は、筒体１２１、スリーブ本体１２に成形する六角形ロック孔１２２および六角形ロック孔１２２と連通し且つ磁性吸着部材１３を納置する設置孔１２３を有する。
六角型頭部を有する固定部材（図未提示）の固定作業を行う時、六角形ロック孔１２２を固定部材の頭部に被せ、頭部をロック空間１２２内に入れることで磁性吸着部材１３の磁性によって定位置に固定する。そしてロッキング杆１１でスリーブ本体１２を回すことで、固定部材が固定作業を行う。
【０００４】
但し、実際には、上記従来の磁性を有するロッキングスリーブ１は、六角頭部を有する固定部材の問題をわずかに改善しているだけで、その他の形状の頭部を有する固定部材の適用性に対しては改善ができていないことに気づく。
更に、磁性吸着部材１３は固定部材を吸着するが、磁性吸着部材１３は長時間、外部と空気に接触する面積が大きいと、酸化現象を起こしやすく、磁性吸着部材１３の磁性は時間の経過とともに減衰していき、ロッキングスリーブ１の使用寿命に影響してしまう。
また、ロック過程で発生した金属の破片は磁性吸着部材１３に吸着し、磁性吸着部材１３の吸着性能および後日のロッキングスリーブ１の使用効果に大きく影響するため、改善が待たれる。
【考案の概要】
【考案が解決しようとする課題】
【０００５】
本考案が解決しようとする課題は、異なる形状の頭部を有する固定部材を安定してロックし、固定作業のスピーディーな進行をサポートし、使用時の利便性と安定したロック効果を向上させるロックサポートのロッキングスリーブを提供することにある。
【課題を解決するための手段】
【０００６】
本考案は、内筒および前記内筒に被覆する外筒を含み、固定部材による固定をサポートするロックサポートのロッキングスリーブに関し、前記内筒は、内筒体および前記内筒体の一端から外向きに延びるロッキング杆を有し、前記外筒は、外筒体、前記外筒体の一端に設置して前記内筒体と相互に係止させる係止端、前記外筒体の前記係止端と反対の他端に設置するロック端、前記外筒体によって囲まれ、前記固定部材を挿入可能なロック空間、前記ロック端から延びた複数の開溝、及び、弾性変形する複数の挟持爪を有し、且つ各挟持爪の先端に前記固定部材を挟持可能な係止凸部を形成する。
【考案の効果】
【０００７】
本考案のロックサポートのロッキングスリーブは、固定作業を行う時、ロック空間に供固定部材を挿入して位置固定し、更に複数の係止凸部が固定部材に係合し、同時に、複数の開溝が外筒の弾力を高め、固定部材をスピーディーに定位し、且つ安定して挟持するので、後続の固定作業を有効に簡易化するだけでなく、固定作業のスピーディーな進行をサポートするほかに、使用時の利便性を向上させるという利点がある。
【図面の簡単な説明】
【０００８】
【図１】従来のロッキングスリーブの斜視図である。
【図２】従来のロッキングスリーブの端面図である。
【図３】本考案の第一実施例を示すロッキングスリーブの分解斜視図である。
【図４】図３の要部拡大図である。
【図５】本考案の第一実施例を示すロッキングスリーブの使用状態における断面図である。
【図６】本考案の第二実施例を示すロッキングスリーブの使用状態における断面図である。
【図７】本考案の第三実施例を示すロッキングスリーブの分解斜視図である。
【図８】本考案の第三実施例を示すロッキングスリーブの端面図である。
【図９】本考案の第三実施例を示すロッキングスリーブの使用状態における断面図である。
【図１０】本考案の第四実施例を示すロッキングスリーブの使用状態における断面図である。
【図１１】本考案の第五実施例を示すロッキングスリーブの使用状態における断面図である。
【考案を実施するための形態】
【０００９】
以下、図面に基づいて本考案の実施例を詳細に説明する。
【００１０】
（第一実施例）
図３乃至図５は、本考案の第一実施例を示す。
本実施例のロッキングスリーブ３は、内筒３１および内筒３１の外側に嵌合する外筒３２を含む。
内筒３１は、内筒体３１１および内筒体３１１の一端から軸方向に沿って外向きに延びるロッキング杆３１２を有する。
本実施例において、ロッキング杆３１２の端部の外周面に第一ネジ紋段３１３ａを形成し、内筒体３１１にロッキング杆３１２を納置するための収蔵室３１４を形成すると共に、内筒体３１１の内周面（収蔵室３１４の側面）に第二ネジ紋段３１３ｂを形成し、ロッキング杆３１２の端部を内筒体３１１の収蔵室３１４に挿入して、第一ネジ紋段３１３ａと第二ネジ紋段３１３ｂを螺合することでロッキング杆３１２と内筒体３１１を固定する。
【００１１】
外筒３２は、外筒体３２１、外筒体３２１の一端に設置して内筒体３１１を係止させる係止端３２２、外筒体３２１の係止端３２２と逆の他端に設置するロック端３２３、外筒体３２１の内部に形成し、且つ、外筒体３２１によって囲まれたロック空間３２４、および外筒体３２１に形成し、ロック端３２３から係止端３２２に向けて延びる複数の開溝３２５を有する。
外筒体３２１には弾性変形する複数の挟持爪３２６を形成し、更に各挟持爪３２６の端縁に係止凸部３２７を形成する。本実施例において、各係止凸部３２７は、ロック端３２３からロック空間３２４に向けて、先端側が次第に係止端３２２へ近づくよう傾斜して突出する傾斜面３２７１、および、傾斜面３２７１に連接する定位面３２７２を有する。
傾斜面３２７１と定位面３２７２の相互に接合する箇所から径方向に延びた線を基準線Ｒと規定する。定位面３２７２は基準線Ｒに対して第一角度αで配置され、傾斜面３２７１は基準線Ｒに対して第二角度βで配置され、且つ定位面３２７２の第一角度αは傾斜面３２７１の第二角度βよりも大きい。
【００１２】
図３および図５に示すとおり、ロッキングスリーブ３を組み立てる時、先ずロッキング杆３１２と内筒体３１１を第一ネジ紋段３１３ａと第二ネジ紋段３１３ｂで螺合固定する。次に、内筒体３１１を外筒３２の係止端３２２からロック空間３２４内へ挿入し、外筒３２は内筒体３１１の外周面に嵌合設置する。
【００１３】
本実施例のロッキングスリーブ３は、円盤型の頭部４１を有する固定部材４でロックするのをサポートする。頭部４１の形状に合わせるため、内筒体３１１の他端面は断面円弧形に成形する。
固定部材４で固定する時、先ず、ロック端３２３を固定部材４の頭部４１に合わせ、係止凸部３２７と頭部４１の外周壁面とを接触させる。この時、ロッキングスリーブ３を下向きに押すことで、外筒３２を頭部４１へ押圧する。同時に複数の係止凸部３２７が頭部４１の外周壁面を押圧する。この時、頭部４１がスムーズにロック空間３２４内に入り、内筒体３１１の端面で位置規制できるように、複数の開溝３２５が外筒３２の弾力を高める助けとなる。同時に複数の係止凸部３２７は頭部４１の外周壁面に固定してもよく、固定部材４を更に安定定位させる。
【００１４】
続いて、ロッキング杆３１２に回転トルクを与え、回転トルクが外筒３２を回転させやすくする。このようにして固定部材４の固定作業を行う。
ロック過程において、固定部材４を壊さないようにするだけでなく、外筒３２を固定部材４の支持過程においても壊さないようにする。同時に固定部材４を安定して支持し、後続の固定作業を有効に簡易化し、および後続の固定作業をスピーディーに進行させ、更に良好なロック効果を達成し、使用時の利便性を高める。
【００１５】
（第二実施形例）
図６は、本考案の第二実施例を示す。第一実施例と同様の構造については、ここで再度説明しない。
本実施例では特に、内筒体３１１のロッキング杆３１２が突出した一端と反対の他端には外向きに突出して伸びた係合部３１５を設ける。
本実施例では、ヘッド陥没型の頭部４１を有する固定部材４でロックするのをサポートし、頭部４１には頭部止め孔Ａを形成してある。
固定部材４の固定作業を行う時、ロック端３２３を頭部４１に被せて下向きに押圧することで係合部３１５を頭部止め孔Ａ内に合わせて係合する。同時に複数の係止凸部３２７でも頭部４１の外周壁面を固定し、後続の固定作業をスピーディーに行う。
【００１６】
（第三実施形態）
図７、図８および図９は、本考案の第三実施例を示す。第一実施例と共通する構造については、ここで再度説明しない。
本実施例では特に、内筒体３１１の他端面に、複数の周囲壁３１７によって囲まれた納置空間３１６を内向きに形成する。
本実施例では、納置空間３１６は周囲壁３１７で囲まれて六角形に形成され、六角型の頭部４１を有する固定部材４でロックするのをサポートする。頭部４１の外周にはガスケットＢを設けてあり、固定作業を行う時、先ず、ロック端３２３を頭部４１に被せ、下向きに作用させることで、頭部４１がロック空間３２４から納置空間３１６内へ進入し、複数の周囲壁３１７によって位置決めされる。同時に、ガスケットＢはロック空間３２４内で定位され、且つガスケットＢの周縁は複数の係止凸部３２７の係止を受けることで、六角型の頭部４１を有する固定部材４がロックしやすくなる。
【００１７】
（第四実施形態）
図１０は、本考案の第四実施例を示す。第三実施例と共通する構造については、ここでは説明しない。
本実施例では特に、納置空間３１６内に内筒体３１１から外向きに突出して伸びた係合部３１５を設ける。
本実施例のロッキングスリーブ３は、六角型の頭部４１を有する固定部材４でロックするのをサポートする。頭部４１には頭部止め孔ＡとガスケットＢを設置し、固定部材４の固定作業を行う時、ロック端３２３を頭部４１に被せて下向きに押圧することで、頭部４１がロック空間３２４から納置空間３１６内に進入し複数の周囲壁３１７によって位置決めされる。同時に、頭部止め孔Ａは係合部３１５の係合を受け、且つガスケットＢはロック空間３２４内で定位されると共に、ガスケットＢ周辺縁が複数の係止凸部３２７によって押止固定され、固定部材４を安定して定位する。
【００１８】
（第五実施形態）
図１１は、本考案の第五実施例を示す。第一実施例と同様の構造については、ここで再度説明しない。
本実施例では特に、内筒３１と外筒３２との間にベアリング３３を設け、且つ外筒３２の係止端３２２にはストッパー３４を設けて、ベアリング３３を外筒３２と内筒３１の間に位置決めする。
これらによって、固定部材４が物品５に回転進入し、外筒３２のロック端３２３が物品５表面に接触すると、ベアリング３３が内筒３１と外筒３２の間に設置されているため、ロッキング杆３１２によって内筒体３１１を回転させても、外筒３２は作用を受けることなく回転が抑えられ、安定して定位される。この結果、外筒３２のロック端３２３はロック過程において、物品５の表面を摩耗させることがない。物品５の表面の摩耗を防止することによって、更に全体的なロック効果を向上させる。
【００１９】
本考案のロックサポートのロッキングスリーブは、外筒体から複数の開溝を成形することにより、弾性変形する複数の挟持爪を成形しやすくなり、更に各挟持爪の端縁に係止凸部を成形することで、複数の係止凸部によって異なる頭部タイプの固定部材を安定して挟持し、後続の固定作業を簡易化する。また後続の固定作業をスピーディーに進め、且つ使用時の便利性を高め、同時に安定したロック効果を達成する。
【００２０】
以上は、本考案の実施例の説明にすぎず、本考案の権利範囲を制限するものではない。即ち、本考案の要旨を逸脱しない変更および修飾は、すべて本考案の権利範囲に属するものとする。
【符号の説明】
【００２１】
（従来例）
１            ロッキングスリーブ
１１          ロッキング杆
１２          スリーブ本体
１３          磁性吸着部材
１４          保護部材
１２１        筒体
１２２        ロック孔
１２３        設置孔
（実施例）
３            ロッキングスリーブ
３１          内筒
３２          外筒
３３          ベアリング
３４          ストッパー
３１１        内筒体
３１２        ロッキング杆
３１３ａ      第一ネジ紋段
３１３ｂ      第二ネジ紋段
３１４        収蔵室
３１５        係合部
３１６        納置空間
３１７        周囲壁
３２１        外筒体
３２２        係止端
３２３        ロック端
３２４        ロック空間
３２５        開溝
３２６        挟持爪
３２７        係止凸部
３２７１      傾斜面
３２７２      定位面
α            第一角度
β            第二角度
Ｒ            基準線
４            固定部材
４１          頭部
Ａ            頭部止め孔
Ｂ            ガスケット
５            物品
【図１】
0003230185.tif 000003
【図２】
0003230185.tif 000004
【図３】
0003230185.tif 000005
【図４】
0003230185.tif 000006
【図５】
0003230185.tif 000007
【図６】
0003230185.tif 000008
【図７】
0003230185.tif 000009
【図８】
0003230185.tif 000010
【図９】
0003230185.tif 000011
【図１０】
0003230185.tif 000012
【図１１】
0003230185.tif 000013